(57)【要約】【課題】受信に必要な消費電力を低減し、そのための省電力化動作を各種モードに適合させる。【解決手段】親機２および子機３の各々に、制御に必要な情報の送受信をワイヤレスの通信で行うための通信部２０，３０を設け、親機２および子機３の少なくとも一方が、通信部２０，３０を間欠動作させて間欠受信をするための受信パターンを複数種類持ち、所定条件に基づいて、複数種類の受信パターンの何れかに切り替えて、その受信パターンに従って通信部２０，３０を間欠動作させて間欠受信をするようにした。【選択図】  図１
2004265794.tif 000002
【特許請求の範囲】
【請求項１】
照明器具と、この照明器具の制御をしてこれを少なくとも点灯または消灯させる親機および子機とを備え、これら親機および子機の各々に、少なくとも前記制御に必要な情報の送受信をワイヤレスの通信で行うための通信手段を設けてなる照明システムであって、
前記親機および前記子機の少なくとも一方は、当該通信手段を間欠動作させて間欠受信をするための受信パターンを複数種類持ち、所定条件に基づいて、前記複数種類の受信パターンの何れかに切り替えて、その受信パターンに従って当該通信手段を間欠動作させて間欠受信をする
ことを特徴とする照明システム。
【請求項２】
前記子機は、自己の前記通信手段として、前記親機との通信用である無線式の第１通信手段を備えるとともに、前記照明器具との通信用である赤外線式の第２通信手段と、周囲における人の在否検出用であって検出結果が前記制御に必要な一の情報となる人感センサとを備え、
前記親機は、自己の前記通信手段として、前記子機との通信用である無線式の第１通信手段を備えるとともに、前記照明器具との通信用である赤外線式の第２通信手段と、ネットワーク接続用のインターフェース手段とを備え、
前記照明器具は、前記親機または前記子機との通信用である赤外線式の通信手段を備え、この通信手段を通じた前記親機または前記子機の制御で少なくとも点灯または消灯する
ことを特徴とする請求項１記載の照明システム。
【請求項３】
前記親機および前記子機の少なくとも一方は、前記人感センサの検出の優先順位に基づいて、前記複数種類の受信パターンの何れかに切り替えることを特徴とする請求項２記載の照明システム。
【請求項４】
前記複数種類の受信パターンには、前記人感センサの検出結果をセキュリティに利用する受信パターンが含まれ、この受信パターンによる受信期間は、他の受信パターンによる受信期間よりも長くなっていることを特徴とする請求項２または３記載の照明システム。
【請求項５】
前記親機および前記子機の少なくとも一方は、バッテリを電源とし、自己のバッテリの残量に基づいて、前記複数種類の受信パターンの何れかに切り替えることを特徴とする請求項１から４のいずれかに記載の照明システム。
【請求項６】
前記複数種類の受信パターンは、前記バッテリの残量が多い場合の受信パターンによる休止期間が、その残量が少ない場合の受信パターンによる休止期間よりも短くなるように設定されていることを特徴とする請求項５記載の照明システム。
【請求項７】
前記親機および前記子機の少なくとも一方は、当該通信手段を間欠動作させて送信をするための送信パターンを複数種類持ち、所定条件に基づいて、前記複数種類の送信パターンの何れかに切り替えて、その送信パターンに従って当該通信手段を間欠動作させて送信をすることを特徴とする請求項１から６のいずれかに記載の照明システム。
【請求項８】
前記複数種類の送信パターンは、通信相手の受信パターンによる受信期間が短い場合の送信反復回数が、通信相手の受信パターンによる受信期間が長い場合の送信反復回数よりも多くなるように設定されていることを特徴とする請求項７記載の照明システム。
【発明の詳細な説明】
【０００１】
【発明の属する技術分野】
本発明は、照明器具と、この照明器具の制御をしてこれを少なくとも点灯または消灯させる親機および子機とを備え、これら親機および子機の各々に、少なくとも上記制御に必要な情報の送受信をワイヤレスの通信で行うための通信手段を設けてなる照明システムに関するものである。
【０００２】
【従来の技術】
図１１はセキュリティモード対応の従来の照明システムの構成図、図１２は遠隔操作モード対応の従来の照明システムの構成図である（特許文献１等参照）。
【０００３】
従来の照明システムには、セキュリティモードおよび遠隔操作モードなどに対応したものが存在している。家の照明システムがセキュリティモードに設定されると、図１１に示すように、複数の子機３ＰＡが周囲に人がいるかどうかを監視する。いずれかの子機３ＰＡが人のいることを検知すると、その検知情報が親機２ＰＡに無線にて送信される。そして、親機２ＰＡは、検知情報を受信すると、予め定められた情報端末４に通報するかどうかを判断し、通報する場合にはネットワークＮを介して人のいることが検知されたことを情報端末４に通報する。
【０００４】
照明システムが遠隔操作モードに設定されると、図１２に示すように、親機３ＰＡはネットワークＮからのメールの有無を監視する。そして、親機３ＰＡは、例えば情報端末４から１階の子機３ＰＡ下の図示しない照明器具を点灯させる点灯コマンドを含むメールを受信すると、その照明器具を点灯させるかどうかを判断し、点灯させる場合には点灯コマンドを無線にてその子機３ＰＡに送信する。これにより、１階の子機３ＰＡが照明器具の点灯制御を実行し、照明器具が点灯することになる。
【０００５】
特許文献２には、制御機器と無線通信機器との間で信号を無線にて送受信する構成において、無線通信機器の受信部が制御機器からの信号を受信した後に、無線通信機器の送信部を作動させる無線遠隔制御システムが記載されている。このようなシステムによれば、消費電力を軽減することができる。
【０００６】
【特許文献１】
特開２００１−２７３９８０号公報
【特許文献２】
特開２０００−１５２３５２号公報
【０００７】
【発明が解決しようとする課題】
しかしながら、上記特許文献２のシステムでは、無線通信機器の受信部が制御機器からの信号を受信した後に、無線通信機器の送信部を作動させるために、無線通信機器の受信部が常時動作しているため、無線通信機器の送信部の消費電力しか軽減することができない。
【０００８】
本発明は、上記事情に鑑みてなされたものであり、受信に必要な消費電力を低減することができ、しかもそのための省電力化動作を各種モードに適合させることができる照明システムを提供することを目的とする。
【０００９】
【課題を解決するための手段】
上記課題を解決するための請求項１記載の発明は、照明器具と、この照明器具の制御をしてこれを少なくとも点灯または消灯させる親機および子機とを備え、これら親機および子機の各々に、少なくとも前記制御に必要な情報の送受信をワイヤレスの通信で行うための通信手段を設けてなる照明システムであって、前記親機および前記子機の少なくとも一方は、当該通信手段を間欠動作させて間欠受信をするための受信パターンを複数種類持ち、所定条件に基づいて、前記複数種類の受信パターンの何れかに切り替えて、その受信パターンに従って当該通信手段を間欠動作させて間欠受信をすることを特徴とする。
【００１０】
請求項２記載の発明は、請求項１記載の照明システムにおいて、前記子機は、自己の前記通信手段として、前記親機との通信用である無線式の第１通信手段を備えるとともに、前記照明器具との通信用である赤外線式の第２通信手段と、周囲における人の在否検出用であって検出結果が前記制御に必要な一の情報となる人感センサとを備え、前記親機は、自己の前記通信手段として、前記子機との通信用である無線式の第１通信手段を備えるとともに、前記照明器具との通信用である赤外線式の第２通信手段と、ネットワーク接続用のインターフェース手段とを備え、前記照明器具は、前記親機または前記子機との通信用である赤外線式の通信手段を備え、この通信手段を通じた前記親機または前記子機の制御で少なくとも点灯または消灯することを特徴とする。
【００１１】
請求項３記載の発明は、請求項２記載の照明システムにおいて、前記親機および前記子機の少なくとも一方は、前記人感センサの検出の優先順位に基づいて、前記複数種類の受信パターンの何れかに切り替えることを特徴とする。
【００１２】
請求項４記載の発明は、請求項２または３記載の照明システムにおいて、前記複数種類の受信パターンには、前記人感センサの検出結果をセキュリティに利用する受信パターンが含まれ、この受信パターンによる受信期間は、他の受信パターンによる受信期間よりも長くなっていることを特徴とする。
【００１３】
請求項５記載の発明は、請求項１から４のいずれかに記載の照明システムにおいて、前記親機および前記子機の少なくとも一方は、バッテリを電源とし、自己のバッテリの残量に基づいて、前記複数種類の受信パターンの何れかに切り替えることを特徴とする。
【００１４】
請求項６記載の発明は、請求項５記載の照明システムにおいて、前記複数種類の受信パターンは、前記バッテリの残量が多い場合の受信パターンによる休止期間が、その残量が少ない場合の受信パターンによる休止期間よりも短くなるように設定されていることを特徴とする。
【００１５】
請求項７記載の発明は、請求項１から６のいずれかに記載の照明システムにおいて、前記親機および前記子機の少なくとも一方は、当該通信手段を間欠動作させて送信をするための送信パターンを複数種類持ち、所定条件に基づいて、前記複数種類の送信パターンの何れかに切り替えて、その送信パターンに従って当該通信手段を間欠動作させて送信をすることを特徴とする。
【００１６】
請求項８記載の発明は、請求項７記載の照明システムにおいて、前記複数種類の送信パターンは、通信相手の受信パターンによる受信期間が短い場合の送信反復回数が、通信相手の受信パターンによる受信期間が長い場合の送信反復回数よりも多くなるように設定されていることを特徴とする。
【００１７】
【発明の実施の形態】
（第１実施形態）
図１，図２は本発明による第１実施形態の照明システムの構成図である。
【００１８】
第１実施形態の照明システムは、図１，図２に示すように、住宅に設けられ、複数の照明器具１と、これら複数の照明器具１の制御をしてこれらを少なくとも点灯または消灯させる親機２および複数の子機３とを備え、これら親機２および複数の子機３の各々に、少なくとも上記制御に必要な情報の送受信をワイヤレスの通信で行うための通信手段を設けた構成になっている。
【００１９】
照明器具１は、所定距離内の見通し通信可能範囲内に設置された、親機２および子機３の少なくとも一方との通信用であり、例えば赤外線受光素子により構成される赤外線式の通信部（図示せず）を備え、この通信部を通じた親機２および子機３の少なくとも一方の制御で少なくとも点灯または消灯するように構成される。
【００２０】
親機２は、自己の通信手段として、子機３との通信用であり、アンテナ２１および無線機２２により構成される無線式の通信部２０を備えるとともに、所定距離内の見通し通信可能範囲内に設置された照明器具１との通信用であり、ＩｒＬＥＤにより構成される赤外線式の通信部２３と、ネットワークＮとの接続用のインターフェース部（Ｉ／Ｆ）２４と、本照明システム全般の制御などの処理を行う制御部（ＣＰＵ）２５とを備えている。
【００２１】
子機３は、自己の通信手段として、親機２との通信用であり、アンテナ３１および無線機３２により構成される無線式の通信部３０を備えるとともに、所定距離内の見通し通信可能範囲内に設置された照明器具１との通信用であり、ＩｒＬＥＤにより構成される赤外線式の通信部３３と、周囲における人の在否検出用であって検出結果が上記制御に必要な一の情報となる人感センサ（センサ）３４と、子機３全般の制御などの処理を行う制御部（ＣＰＵ）３５とを備えている。
【００２２】
ここで、照明器具１と親機２または子機３との間では、赤外線式の通信部で情報が送受信されることになる。照明器具１の赤外線式の通信部で、親機２または子機３から送信されたデータが受信されると、照明器具１がそのデータを基に点灯または消灯する。一般に、周囲照度を検出するための明るさセンサが例えば子機３などに具備され、明るさセンサにより検出された周囲照度が所定照度以下のときに、子機３のセンサ３４によって人のいることが検知されると、子機３に対応する照明器具１の点灯制御が実行される。そして、人のいることを示す検知状態が所定時間保持され、その検知情報が得られる度に所定時間の計時がリセットされ、所定時間の経過時点で、対応する照明器具１の消灯（または調光）制御が実行される。
【００２３】
一方、親機２と子機３との間では、無線式の通信部で情報が送受信されることになる。送信側において、制御部から無線機にデジタルデータが出力されると、無線機での変調を経て電波としてアンテナから送波される。受信側において、その電波がアンテナで受波されると、無線機での復調を経て送信側からのデータが受信される。
【００２４】
親機２と子機３との間で送受信される情報には、セキュリティおよび遠隔操作などのための各種情報がある。
【００２５】
例えば、セキュリティの場合、子機３のセンサ３４が周囲に人のいることを示す検知情報を制御部３５に出力したとき、制御部３５が無線機３２の送信周波数を設定し、上記検知情報に関する検知データを無線機３２に送信する。これにより、検知データは、無線機３２での変調を経て電波としてアンテナ３１から送波され、親機２のアンテナ２１で受波され、その無線機２２での復調を経て親機２の制御部２５に受信されることになる。この後、親機２の制御部２５は、インターフェース部２４を通じて、人のいることを示す検知情報を予め定められた情報端末４に送信する。これにより、情報端末４の保持者にセキュリティに関する情報が送信されることになる。
【００２６】
遠隔操作の場合、親機２の制御部２５が、インターフェース部２４を通じて、情報端末４から子機３に付属する照明器具１をオンするためのコマンドを、電子メールまたはＤＴＭＦ（Ｄｉａｌ  Ｔｏｎｅ  Ｍｕｌｔｉ  Ｆｒｅｑｕｅｎｃｙ）  で受信すると、無線機２２の送信周波数を設定し、上記コマンド（図１では「ＤＡＴＡ」）を無線機２２に送信する。これにより、コマンドは、無線機２２での変調を経て電波としてアンテナ２１から送波され、子機３のアンテナ３１で受波され、その無線機３２での復調を経て子機３の制御部３５に受信されることになる。この後、子機３の制御部３５は、通信部３３を介して、点灯コマンドを照明器具１に送信してこれを点灯させる。なお、インターフェース部２４は、コマンドをメールで受信する場合、例えば、所定のＬＡＮ規格に準拠したネットワークインターフェースとなり、コマンドをＤＴＭＦで受信する場合、電話回線と接続される回線インターフェースとなる。
【００２７】
図３に本照明システムの親機および子機に付与される間欠受信機能の説明図を示し、図４に同間欠受信機能の動作説明図を示す。
【００２８】
本照明システムの親機２および子機３は、それぞれ第１の特徴として、図３に示すように、無線機２２，３２内のレギュレータ２２４，３２４のオン／オフまたはオン／待機／オフ（第１実施形態ではオン／オフ）をも含めた間欠受信機能を持つように構成される。
【００２９】
すなわち、無線機２２，３２は、それぞれ、ＰＬＬ用のＩＣ（ＰＬＬＩＣ）２２１，３２１と、受信用のＶＣＯ（受信ＶＣＯ）２２２，３２２と、送信用のＶＣＯ（送信ＶＣＯ）２２３，３２３と、これら各部への電力供給用のレギュレータ２２４，３２４とにより構成され、到来電波から信号を常時受信するほか、ＣＰＵ２５，３５の間欠受信制御によって、到来電波から信号を間欠受信するようになっている。
【００３０】
ここで、上記間欠受信機能による動作について説明する。到来電波から信号を間欠受信する場合、図３，図４に示すように、ＣＰＵが間欠受信のスタートとしてレギュレータのオン制御を行うことにより、レギュレータから各部に電力が供給される。
【００３１】
この後（スタート時点から５ｍｓ  後）、ＣＰＵがＰＬＬ用のＩＣにデータ（図４では「ＰＬＬＤＡＴＡ  」）を送信することにより、ＰＬＬ用のＩＣがそのデータに基づいた周波数で発振して、受信用のＶＣＯの無線受信周波数が設定される。このとき、設定されるべき周波数に安定するまで時間がかかり、安定した場合には、ローレベルのロック（ＬＯＣＫ）検出信号がＰＬＬ用のＩＣからＣＰＵに出力される。
【００３２】
そのロック検出信号が出力されると（スタート時点から１０ｍｓ後）、受信用のＶＣＯの発振周波数を基に到来電波が検波され、受信するべき到来電波からデータ（図４では「受信ＤＡＴＡ」）を含む信号が受信される。この受信状態において、無線機の出力（ＲｘＤＡＴＡ）として受信波形が現れる。
【００３３】
この後（スタート時点から５０ｍｓ後）、ＣＰＵがレギュレータのオフ制御を行うことにより、レギュレータから各部に電力が供給されなくなり、受信を休止する休止期間に移行する。
【００３４】
この後（スタート時点から１００ｍｓ  後）、ＣＰＵが間欠受信の新たなスタートとしてレギュレータのオン制御を行うことにより、レギュレータから各部に電力が供給され、上記と同様の動作が繰り返し実行される。
【００３５】
このような間欠受信機能が本照明システムの親機２および子機３に付与されることにより、無線機２２，３２のオフ時に電力が消費されないため、上記のような５０％デューティの間欠受信の例では、無線機２２，３２の消費電力が見かけ上半分に低減される。また、送信についても、受信と同様に、送信時に無線機２２，３２がオンにされる。
【００３６】
図５に上記間欠受信機能を利用した親機および子機の受信パターン例を示し、図６に間欠受信でも必ず受信可能となる送信パターン例を示す。
【００３７】
親機２および子機３は、第２の特徴として図５に示すように、自己の無線式の通信部２０，３０を常時または間欠動作させて常時または間欠受信をするための受信パターンを複数種類持ち、所定条件に基づいて、複数種類の受信パターンの何れかに切り替えて、その受信パターンに従って、自己の無線式の通信部２０，３０を常時または間欠動作させて常時または間欠受信をするように構成される。
【００３８】
そして、親機２および子機３は、第３の特徴として、上記複数種類の受信パターンの何れに切り替えられても、送信するデータが確実に受信されるように同一データを連続して複数回送信するように構成される。
【００３９】
図５の例には、ＲＰ１〜ＲＰ４の４種類の受信パターンが示されている。受信パターンＲＰ１は常時受信のためのパターンである。受信パターンＲＰ２は、上記間欠受信機能を利用した、７５０ｍｓ  の受信期間と２５０ｍｓ  の休止期間とを交互に繰り返す間欠受信のためのパターンである。受信パターンＲＰ３は、５００ｍｓ  の受信期間と５００ｍｓ  の休止期間とを交互に繰り返す間欠受信のためのパターンである。受信パターンＲＰ４は、２５０ｍｓ  の受信期間と７５０ｍｓ  の休止期間とを交互に繰り返す間欠受信のためのパターンである。
【００４０】
これらに対して、ＳＰは、送信パターンであり、５０ｍｓの送信期間毎に同一データを４回連続して送信するためのパターンである。ここで、図６の例に示すように、受信パターンがＲＰ３である場合、「ＤＡＴＡ−Ａ」は受信されるが、「ＤＡＴＡ−Ｂ」は受信されない。このように、通信相手が間欠受信をしている場合、送信したデータが通信相手によって受信されないことがあるので、第１実施形態では、取りこぼしを防止して、送信するデータが確実に受信されるように同一データを連続して複数回送信するのである。図６の例では、「ＤＡＴＡ−１」〜「ＤＡＴＡ−３」を連続して送信することにより、そのいずれかのデータが必ず受信されるようになっている。第２実施形態では、受信パターンがＲＰ１〜ＲＰ４の４種類であるため、それらのいずれの受信パターンであっても、データが必ず受信されるように、図５の例に示すＳＰの送信パターンが使用される。つまり、図５におけるＲＰ１〜ＲＰ４とＳＰの送信回数は、あくまでも例示であって、実際にはＳＰのどうような送信タイミングであっても、少なくとも１回の送信時のデータが受信パターンＲＰ４で必ず受信されるようにＳＰの送信回数が設定されるのである。
【００４１】
このような構成では、親機２および子機３のうち、一方の送信側が送信パターンＳＰに従って同一データを図５の例では４回連続して送信し、他方の受信側がそのデータを受信することになる。
【００４２】
そして、受信パターンがＲＰ１である場合、消費電力を低減することができないものの、送信パターンＳＰによって４回連続して送信されるデータ全てが受信されることになるので、通信の信頼性が最も高くなる。これに対して、受信パターンがＲＰ２〜ＲＰ４である場合、いずれも最低限（ＳＰによる少なくとも１回の送信時のデータを受信できる）以上の通信（受信）性能を確保することができるとともに、消費電力の低減効率を増大させることができる。
【００４３】
次に、これら４種類の受信パターンの何れかに切り替えるための所定条件について説明する。まず、第１実施形態では、親機２および子機３が、在宅モード、長期留守モード、セキュリティモードおよび安否確認モードなどの複数の制御モードを持っているとする。
【００４４】
在宅モードでは、センサ３４で人のいることが検知されると、親機２および子機３ともに、周囲が暗いとき（周囲照度が所定照度以下のとき）に照明器具１に点灯コマンドを送信する。親機２は、インターフェース部２４を介した外部との通信を停止し、外部からの照明器具１の遠隔操作を受け付けない。
【００４５】
長期留守モードでは、親機２および子機３ともに、センサ３４の検出結果に関わらず、照明器具１を点灯させない。親機２は、インターフェース部２４を介した外部への通信を停止するが、外部からの照明器具１の遠隔操作を受け付ける。
【００４６】
セキュリティモードでは、センサ３４で人のいることが検知されると、親機２および子機３ともに、照明器具１に点灯コマンドを送信し、親機２は、インターフェース部２４を介して情報端末４に人のいること（人の侵入）を通報する。
【００４７】
安否確認モードでは、センサ３４で人のいることが検知されると、親機２および子機３ともに、周囲が暗いときに照明器具１に点灯コマンドを送信する。親機２は、センサ３４の検出毎ではなく、例えば１時間毎に１回にまとめて安否情報を、インターフェース部２４を介して情報端末４に送信し、外部からの照明器具１の遠隔操作を受け付けない。
【００４８】
そして、４種類の受信パターンは、上記４種類のモードのうちいずれのモードに設定されたかに応じて切り替えられる。長期留守モードに設定された場合、親機２および子機３間の通信頻度が低いため、最低限以上の通信性能を確保することができる受信パターンＲＰ２〜ＲＰ４のうちで最も通信性能の低い受信パターンＲＰ４に切り替えられる。セキュリティモードに設定された場合、親機２および子機３間の通信頻度が最も高く、緊急を要するため、最も通信性能の高い受信パターンＲＰ１に切り替えられる。安否確認モードに設定された場合、外部の情報端末４への送信を行うものの、外部からの照明器具１の遠隔操作を受け付けないため、２番目に通信性能の高い受信パターンＲＰ２に切り替えられる。在宅モードに設定された場合、外部との通信を停止するため、３番目に通信性能の高い受信パターンＲＰ３に切り替えられる。
【００４９】
第１実施形態によれば、親機２および子機３が、通信部２０，３０を常時または間欠動作させて常時または間欠受信をするための受信パターンを複数種類持ち、所定条件に基づいて、複数種類の受信パターンの何れかに切り替えて、その受信パターンに従って通信部２０，３０を常時または間欠動作させて常時または間欠受信をするので、受信に必要な消費電力を低減することができ、しかもそのための省電力化動作を各種モードに適合させることができる。
【００５０】
（第２実施形態）
図７は本発明による第２実施形態の照明システムの構成図、図８は同照明システムの動作説明図である。
【００５１】
図７に示す第２実施形態の照明システムは、複数の照明器具１と、親機２とを第１実施形態と同様に備えているほか、第１実施形態との相違点として、電池３６を電源に駆動し、その電池３６の残量に基づいて、複数種類の受信パターンの何れかに切り替えて、その受信パターンに従って通信部３０を間欠動作させて間欠受信をするように制御部３５Ａが制御する子機３Ａを備えている。
【００５２】
センサ３４は指向性を持ち、その検知範囲が限られているため、センサ３４の設置の自由度に制限の無い方が望ましい。このため、第２実施形態では、電池駆動とすることにより、適切な場所にセンサ３４を自由に設置することができるようになっている。そして、図８に示すように、電池３６の残量が所定の基準残量以上あれば、制御部３５Ａは、受信パターンＲＰ３に切り替えて、その受信パターンＲＰ３に従って通信部３０を間欠動作させて間欠受信をし、基準残量を下回れば、受信パターンＲＰ４に切り替えて、その受信パターンＲＰ４に従って通信部３０を間欠動作させて間欠受信をする。ここで、受信パターンＲＰ３は、５００ｍｓ  の受信期間と５００ｍｓ  の休止期間とを交互に繰り返す間欠受信のためのパターンであり、受信パターンＲＰ４は、２５０ｍｓ  の受信期間と７５０ｍｓ  の休止期間とを交互に繰り返す間欠受信のためのパターンである。
【００５３】
また、制御部３５Ａは、受信パターンＲＰ４に切り替えた場合、親機２に電池３６の残量が少ない旨の通知をして、親機２によってその旨を表示させたり、あるいは図示しないブザーを鳴動させるなどして、電池の交換を促す。
【００５４】
第２実施形態によれば、電池３６の残量が多い場合の受信パターンＲＰ３による休止期間が、その残量が少ない場合の受信パターンＲＰ４による休止期間よりも短くなるように設定されているので、電池の交換がなされる前に電池切れになることを防止することができる。
【００５５】
なお、第２実施形態では、子機が電池駆動であるとしたが、それと同様に親機が電池駆動であるとしてもよい。
【００５６】
（第３実施形態）
図９は本発明による第３実施形態の照明システムにおける親機および子機の動作説明図である。
【００５７】
第３実施形態の照明システムは、第１実施形態との相違点として、図９に示すように、親機２および子機３が、通信手段２０，３０を間欠動作させて送信をするための送信パターンを複数種類持ち、所定条件に基づいて、複数種類の送信パターンの何れかに切り替えて、その送信パターンに従って通信手段２０，３０を間欠動作させて送信をし、複数種類の送信パターンは、通信相手の受信パターンによる受信期間が短い場合の送信反復回数が、通信相手の受信パターンによる受信期間が長い場合の送信反復回数よりも多くなるように設定されていることを特徴とする。
【００５８】
図９の例では、長期留守モードの場合、受信パターンがＲＰ４、送信パターンがＳＰ４となり、セキュリティモードの場合、受信パターンがＲＰ１、送信パターンがＳＰ１となり、安否確認モードの場合、受信パターンがＲＰ２、送信パターンがＳＰ２となり、在宅モードの場合、受信パターンがＲＰ３、送信パターンがＳＰ２となる。
【００５９】
そして、送信パターンがＳＰ４である場合、第１実施形態の送信パターンＳＰと同様に同一データが４回連続して送信される。これに対して、送信パターンがＳＰ１，ＳＰ２，ＳＰ３である場合、それぞれ同一データが１，２，３回連続して送信される。
【００６０】
このように、受信時間が長くなるほど、送信パターンによる送信反復回数をより少なくすることができ、照明システム全体の通信量を減らすことができ、送信のための消費電力を低減することができる。これにより、親機２を電池駆動とすることも可能になる。
【００６１】
なお、第３実施形態の特徴は、子機３が電池駆動となる第２実施形態にも適用可能である。例えば図１０において、通常時に複数の子機３Ａが受信パターンＲＰ１で動作しているとすれば、親機２は送信パターンＳＰ１で動作すればよい。そして、親機２は、複数の子機３Ａのうち一の子機３Ａから、電池３６の残量不足のため、例えば受信パターンＲＰ４に切り替えた通知を受けたとき、その一の子機３Ａに対しては、送信パターンＳＰ４で通信を行い、他の子機３Ａに対しては、送信パターンＳＰ１で通信を行うようにすればよい。
【００６２】
【発明の効果】
以上のことから明らかなように、請求項１記載の発明は、照明器具と、この照明器具の制御をしてこれを少なくとも点灯または消灯させる親機および子機とを備え、これら親機および子機の各々に、少なくとも前記制御に必要な情報の送受信をワイヤレスの通信で行うための通信手段を設けてなる照明システムであって、前記親機および前記子機の少なくとも一方は、当該通信手段を間欠動作させて間欠受信をするための受信パターンを複数種類持ち、所定条件に基づいて、前記複数種類の受信パターンの何れかに切り替えて、その受信パターンに従って当該通信手段を間欠動作させて間欠受信をするので、受信に必要な消費電力を低減することができ、しかもそのための省電力化動作を各種モードに適合させることができる。
【００６３】
請求項２記載の発明は、請求項１記載の照明システムにおいて、前記子機は、自己の前記通信手段として、前記親機との通信用である無線式の第１通信手段を備えるとともに、前記照明器具との通信用である赤外線式の第２通信手段と、周囲における人の在否検出用であって検出結果が前記制御に必要な一の情報となる人感センサとを備え、前記親機は、自己の前記通信手段として、前記子機との通信用である無線式の第１通信手段を備えるとともに、前記照明器具との通信用である赤外線式の第２通信手段と、ネットワーク接続用のインターフェース手段とを備え、前記照明器具は、前記親機または前記子機との通信用である赤外線式の通信手段を備え、この通信手段を通じた前記親機または前記子機の制御で少なくとも点灯または消灯するのであり、この構成でも、受信に必要な消費電力を低減することができ、そのための省電力化動作を各種モードに適合させることができる。
【００６４】
請求項３記載の発明は、請求項２記載の照明システムにおいて、前記親機および前記子機の少なくとも一方は、前記人感センサの検出の優先順位に基づいて、前記複数種類の受信パターンの何れかに切り替えるので、省電力化動作を人感センサの検出の優先順位に適合させることができる。
【００６５】
請求項４記載の発明は、請求項２または３記載の照明システムにおいて、前記複数種類の受信パターンには、前記人感センサの検出結果をセキュリティに利用する受信パターンが含まれ、この受信パターンによる受信期間は、他の受信パターンによる受信期間よりも長くなっているので、親機および子機間の通信頻度が最も高く、緊急を要するセキュリティのモードにおいて、最も通信性能の高い受信パターンに切り替えることができる。
【００６６】
請求項５記載の発明は、請求項１から４のいずれかに記載の照明システムにおいて、前記親機および前記子機の少なくとも一方は、バッテリを電源とし、自己のバッテリの残量に基づいて、前記複数種類の受信パターンの何れかに切り替えるので、例えば電池の交換がなされる前に電池切れになることを防止することが可能になる。
【００６７】
請求項６記載の発明は、請求項５記載の照明システムにおいて、前記複数種類の受信パターンは、前記バッテリの残量が多い場合の受信パターンによる休止期間が、その残量が少ない場合の受信パターンによる休止期間よりも短くなるように設定されているので、電池の交換がなされる前に電池切れになることを防止することができる。
【００６８】
請求項７記載の発明は、請求項１から６のいずれかに記載の照明システムにおいて、前記親機および前記子機の少なくとも一方は、当該通信手段を間欠動作させて送信をするための送信パターンを複数種類持ち、所定条件に基づいて、前記複数種類の送信パターンの何れかに切り替えて、その送信パターンに従って当該通信手段を間欠動作させて送信をするので、例えば送信に必要な消費電力を低減することが可能になり、そのための省電力化動作を各種モードに適合させることが可能になる。
【００６９】
請求項８記載の発明は、請求項７記載の照明システムにおいて、前記複数種類の送信パターンは、通信相手の受信パターンによる受信期間が短い場合の送信反復回数が、通信相手の受信パターンによる受信期間が長い場合の送信反復回数よりも多くなるように設定されているので、送信に必要な消費電力を低減することができ、そのための省電力化動作を各種モードに適合させることができる。
【図面の簡単な説明】
【図１】本発明による第１実施形態の照明システムの構成図である。
【図２】同照明システムの構成図である。
【図３】同照明システムの親機および子機に付与される間欠受信機能の説明図である。
【図４】同間欠受信機能の動作説明図である。
【図５】同間欠受信機能を利用した親機および子機の受信パターン例を示す図である。
【図６】間欠受信でも必ず受信可能となる送信パターン例を示す図である。
【図７】本発明による第２実施形態の照明システムの構成図である。
【図８】同照明システムの動作説明図である。
【図９】本発明による第３実施形態の照明システムにおける親機および子機の動作説明図である。
【図１０】第３実施形態の特徴を、子機が電池駆動となる第２実施形態に適用した場合の説明図である。
【図１１】セキュリティモード対応の従来の照明システムの構成図である。
【図１２】遠隔操作モード対応の従来の照明システムの構成図である。
【符号の説明】
１  照明器具
２  親機
２０  通信部
２１  アンテナ
２２  無線機
２３  通信部（ＩｒＬＥＤ）
２４  インターフェース部（Ｉ／Ｆ）
２５  制御部（ＣＰＵ）
３，３Ａ  子機
３０  通信部
３１  アンテナ
３２  無線機
３３  通信部（ＩｒＬＥＤ）
３４  人感センサ（センサ）
３５，３５Ａ  制御部（ＣＰＵ）
３６  電池
４  情報端末
【図１】
2004265794.tif 000003
【図２】
2004265794.tif 000004
【図３】
2004265794.tif 000005
【図４】
2004265794.tif 000006
【図５】
2004265794.tif 000007
【図６】
2004265794.tif 000008
【図７】
2004265794.tif 000009
【図８】
2004265794.tif 000010
【図９】
2004265794.tif 000011
【図１０】
2004265794.tif 000012
【図１１】
2004265794.tif 000013
【図１２】
2004265794.tif 000014